(57)【特許請求の範囲】
【請求項１】
点字の数字を表現するために凹凸する第１点部〜第Ｎ点部と、押下されると押下信号を発行するボタン本体部と、前記第１点部〜前記第Ｎ点部を数字の若番の順序に表現するように凹凸させるボタン制御部と、前記押下信号を受け取ると、押下信号を受け取った時に前記第１点部〜前記第Ｎ点部が表現していた数字を暗証番号の１桁として記憶するプロセッサとを有することを特徴とする暗証番号入力装置。
【請求項２】
点字の数字を表現するために凹凸する第１点部〜第Ｎ点部と、押下されると押下信号を発行するボタン本体部と、前記第１点部〜前記第Ｎ点部を数字の若番の順序に表現するように凹凸させるボタン制御部と、前記押下信号を受け取ると、押下信号を受け取った時に前記第１点部〜前記第Ｎ点部が表現していた数字を暗証番号の１桁として記憶するプロセッサと、次に入力すべき暗証番号の桁の部分が点滅する入力桁確認画面とを有することを特徴とする暗証番号入力装置。
【請求項３】
点字の数字を表現するために凹凸する第１点部〜第Ｎ点部と、押下されると押下信号を発行するボタン本体部と、前記第１点部〜前記第Ｎ点部を数字の若番の順序に表現するように凹凸させるボタン制御部と、押下されると取り消し信号を発生する取り消しボタンと、前記押下信号を受け取ると、押下信号を受け取った時に前記第１点部〜前記第Ｎ点部が表現していた数字を暗証番号の１桁として記憶し、前記取り消し信号を受け取ると記憶した暗証番号を消去するプロセッサとを有することを特徴とする暗証番号入力装置。
【請求項４】
点字の数字を表現するために凹凸する第１点部〜第Ｎ点部と、押下されると押下信号を発行するボタン本体部と、押下されると取り消し信号を発生する取り消しボタンと、前記第１点部〜前記第Ｎ点部を数字の若番の順序に表現するように凹凸させるボタン制御部と、前記押下信号を受け取ると、押下信号を受け取った時に前記第１点部〜前記第Ｎ点部が表現していた数字を暗証番号の１桁として記憶し、前記取り消し信号を受け取ると記憶した暗証番号を消去するプロセッサと、次に入力すべき暗証番号の桁の部分が点滅する入力桁確認画面とを有することを特徴とする暗証番号入力装置。
【請求項５】
点字の数字を表現するために凹凸する第１点部〜第Ｎ点部と、押下されると押下信号を発行するボタン本体部と、前記第１点部〜前記第Ｎ点部を数字のランダムの順序に表現するように凹凸させるボタン制御部と、前記押下信号を受け取ると、押下信号を受け取った時に前記第１点部〜前記第Ｎ点部が表現していた数字を暗証番号の１桁として記憶するプロセッサとを有することを特徴とする暗証番号入力装置。
【請求項６】
点字の数字を表現するために凹凸する第１点部〜第Ｎ点部と、押下されると押下信号を発行するボタン本体部と、前記第１点部〜前記第Ｎ点部を数字のランダムの順序に表現するように凹凸させるボタン制御部と、前記押下信号を受け取ると、押下信号を受け取った時に前記第１点部〜前記第Ｎ点部が表現していた数字を暗証番号の１桁として記憶するプロセッサと、次に入力すべき暗証番号の桁の部分が点滅する入力桁確認画面とを有することを特徴とする暗証番号入力装置。
【請求項７】
点字の数字を表現するために凹凸する第１点部〜第Ｎ点部と、押下されると押下信号を発行するボタン本体部と、前記第１点部〜前記第Ｎ点部を数字のランダムの順序に表現するように凹凸させるボタン制御部と、押下されると取り消し信号を発生する取り消しボタンと、前記押下信号を受け取ると、押下信号を受け取った時に前記第１点部〜前記第Ｎ点部が表現していた数字を暗証番号の１桁として記憶し、前記取り消し信号を受け取ると記憶した暗証番号を消去するプロセッサとを有することを特徴とする暗証番号入力装置。
【請求項８】
点字の数字を表現するために凹凸する第１点部〜第Ｎ点部と、押下されると押下信号を発行するボタン本体部と、押下されると取り消し信号を発生する取り消しボタンと、前記第１点部〜前記第Ｎ点部を数字のランダムの順序に表現するように凹凸させるボタン制御部と、前記押下信号を受け取ると、押下信号を受け取った時に前記第１点部〜前記第Ｎ点部が表現していた数字を暗証番号の１桁として記憶し、前記取り消し信号を受け取ると記憶した暗証番号を消去するプロセッサと、次に入力すべき暗証番号の桁の部分が点滅する入力桁確認画面とを有することを特徴とする暗証番号入力装置。
【請求項９】
点字の数字を表現するために凹凸する第１点部〜第Ｎ点部と、押下されると押下信号を発行するボタン本体部と、押下されると取り消し信号を発生する取り消しボタンとを利用し、前記第１点部〜前記第Ｎ点部を数字の若番の順序に表現するように凹凸させる第１の手順と、前記押下信号を受け取ると、押下信号を受け取った時に前記第１点部〜前記第Ｎ点部が表現していた数字を暗証番号の１桁として記憶する第２の手順とを含むことを特徴とする暗証番号入力方法。
【請求項１０】
点字の数字を表現するために凹凸する第１点部〜第Ｎ点部と、押下されると押下信号を発行するボタン本体部と、押下されると取り消し信号を発生する取り消しボタンとを利用し、前記第１点部〜前記第Ｎ点部を数字のランダムの順序に表現するように凹凸させる第１の手順と、前記押下信号を受け取ると、押下信号を受け取った時に前記第１点部〜前記第Ｎ点部が表現していた数字を暗証番号の１桁として記憶する第２の手順とを含むことを特徴とする暗証番号入力方法。
【請求項１１】
点字の数字を表現するために凹凸する第１点部〜第Ｎ点部と、押下されると押下信号を発行するボタン本体部と、押下されると取り消し信号を発生する取り消しボタンとを利用する、前記第１点部〜前記第Ｎ点部を数字の若番の順序に表現するように凹凸させる第１の手順と、前記押下信号を受け取ると、押下信号を受け取った時に前記第１点部〜前記第Ｎ点部が表現していた数字を暗証番号の１桁として記憶する第２の手順とをコンピュータに実行させることを特徴とする暗証番号入力プログラム。
【請求項１２】
点字の数字を表現するために凹凸する第１点部〜第Ｎ点部と、押下されると押下信号を発行するボタン本体部と、押下されると取り消し信号を発生する取り消しボタンとを利用する、前記第１点部〜前記第Ｎ点部を数字のランダムの順序に表現するように凹凸させる第１の手順と、前記押下信号を受け取ると、押下信号を受け取った時に前記第１点部〜前記第Ｎ点部が表現していた数字を暗証番号の１桁として記憶する第２の手順とをコンピュータに実行させることを特徴とする暗証番号入力プログラム。
【発明の詳細な説明】
【０００１】
【発明の属する技術分野】
本発明は、点字数字入力装置、暗証番号入力装置、暗証番号入力方法、および、暗証番号入力プログラムに関し、特に、点字入力を可能とした点字数字入力装置、暗証番号入力装置、暗証番号入力方法、および、暗証番号入力プログラムに関する。
【０００２】
【従来の技術】
従来のＡＴＭ等の暗証番号入力装置においては、入力する暗証番号を画面から選択して入力するものであった。
【０００３】
図１０は、従来の暗証番号入力装置を示す説明図である。
【０００４】
また、図１１は、１列式の従来の暗証番号入力装置を示す説明図である。
【０００５】
図１０、および、図１１に示す装置においては、若番から順番に表示された数字を選んで押下することで暗証番号を入力する構成をとっている。
【０００６】
また、従来の暗証番号入力装置の技術としては、「特開２０００−９９８０１号公報」記載の技術、および、「特開平７−３２０１２４号公報」記載の技術がある。
【０００７】
図１２は、「特開２０００−９９８０１号公報」の技術の暗証番号入力装置を示す説明図である。
【０００８】
また、図１３は、「特開２０００−９９８０１号公報」の技術の１列式の暗証番号入力装置を示す説明図である。
【０００９】
図１４は、「特開２０００−９９８０１号公報」の技術を示す説明図である。
【００１０】
「特開２０００−９９８０１号公報」記載の技術は、図１２、図１３に示すように、０〜９までの数字を若番から順番に表示させるのではなく、ランダムに表示させている。
【００１１】
「特開平７−３２０１２４号公報」記載の技術は、図１４に示すように、画面に数字を順番に表示させ、該当する数字が表示されたときに押下することにより暗証番号を入力する構成をとっている。
【００１２】
【発明が解決しようとする課題】
上述した従来の技術の第１の問題点は、暗証番号入力時の安全性が低いことである。
【００１３】
その理由は、画面に入力する数字が必ず表示されているため、第三者に入力動作を観察され、暗証番号を盗み取られる可能性があるからである。
【００１４】
第２の問題点は、視力の弱い利用者が使用できないことである。
【００１５】
その理由は、画面に数字を表示する構成をとるからである。
【００１６】
本発明の目的は、暗証番号入力時の安全性を向上し、かつ、視力の弱い利用者が使用できるようにすることである。
【００１７】
【課題を解決するための手段】
本発明の第１の点字数字入力装置は、点字の数字を表現するために凹凸する第１点部〜第Ｎ点部と、押下されると押下信号を発行するボタン本体部と、前記第１点部〜前記第Ｎ点部を数字の若番の順序に表現するように凹凸させるボタン制御部とを有することを特徴とする。
【００１８】
本発明の第１の暗証番号入力装置は、点字の数字を表現するために凹凸する第１点部〜第Ｎ点部と、押下されると押下信号を発行するボタン本体部と、前記第１点部〜前記第Ｎ点部を数字の若番の順序に表現するように凹凸させるボタン制御部と、前記押下信号を受け取ると、押下信号を受け取った時に前記第１点部〜前記第Ｎ点部が表現していた数字を暗証番号の１桁として記憶するプロセッサとを有することを特徴とする。
【００１９】
本発明の第２の点字数字入力装置は、点字の数字を表現するために凹凸する第１点部〜第Ｎ点部と、押下されると押下信号を発行するボタン本体部と、前記第１点部〜前記第Ｎ点部を数字の若番の順序に表現するように凹凸させるボタン制御部と、次に入力すべき点字数字の桁の部分が点滅する入力桁確認画面とを有することを特徴とする。
【００２０】
本発明の第２の暗証番号入力装置は、点字の数字を表現するために凹凸する第１点部〜第Ｎ点部と、押下されると押下信号を発行するボタン本体部と、前記第１点部〜前記第Ｎ点部を数字の若番の順序に表現するように凹凸させるボタン制御部と、前記押下信号を受け取ると、押下信号を受け取った時に前記第１点部〜前記第Ｎ点部が表現していた数字を暗証番号の１桁として記憶するプロセッサと、次に入力すべき暗証番号の桁の部分が点滅する入力桁確認画面とを有することを特徴とする。
【００２１】
本発明の第３の点字数字入力装置は、点字の数字を表現するために凹凸する第１点部〜第Ｎ点部と、押下されると押下信号を発行するボタン本体部と、前記第１点部〜前記第Ｎ点部を数字の若番の順序に表現するように凹凸させるボタン制御部と、押下されると取り消し信号を発生する取り消しボタンとを有することを特徴とする。
【００２２】
本発明の第３の暗証番号入力装置は、点字の数字を表現するために凹凸する第１点部〜第Ｎ点部と、押下されると押下信号を発行するボタン本体部と、前記第１点部〜前記第Ｎ点部を数字の若番の順序に表現するように凹凸させるボタン制御部と、押下されると取り消し信号を発生する取り消しボタンと、前記押下信号を受け取ると、押下信号を受け取った時に前記第１点部〜前記第Ｎ点部が表現していた数字を暗証番号の１桁として記憶し、前記取り消し信号を受け取ると記憶した暗証番号を消去するプロセッサとを有することを特徴とする。
【００２３】
本発明の第４の点字数字入力装置は、点字の数字を表現するために凹凸する第１点部〜第Ｎ点部と、押下されると押下信号を発行するボタン本体部と、前記第１点部〜前記第Ｎ点部を数字の若番の順序に表現するように凹凸させるボタン制御部と、次に入力すべき点字数字の桁の部分が点滅する入力桁確認画面と、押下されると取り消し信号を発生する取り消しボタンとを有することを特徴とする。
【００２４】
本発明の第４の暗証番号入力装置は、点字の数字を表現するために凹凸する第１点部〜第Ｎ点部と、押下されると押下信号を発行するボタン本体部と、押下されると取り消し信号を発生する取り消しボタンと、前記第１点部〜前記第Ｎ点部を数字の若番の順序に表現するように凹凸させるボタン制御部と、前記押下信号を受け取ると、押下信号を受け取った時に前記第１点部〜前記第Ｎ点部が表現していた数字を暗証番号の１桁として記憶し、前記取り消し信号を受け取ると記憶した暗証番号を消去するプロセッサと、次に入力すべき暗証番号の桁の部分が点滅する入力桁確認画面とを有することを特徴とする。
【００２５】
本発明の第５の点字数字入力装置は、点字の数字を表現するために凹凸する第１点部〜第Ｎ点部と、押下されると押下信号を発行するボタン本体部と、前記第１点部〜前記第Ｎ点部を数字のランダムの順序に表現するように凹凸させるボタン制御部とを有することを特徴とする。
【００２６】
本発明の第５の暗証番号入力装置は、点字の数字を表現するために凹凸する第１点部〜第Ｎ点部と、押下されると押下信号を発行するボタン本体部と、前記第１点部〜前記第Ｎ点部を数字のランダムの順序に表現するように凹凸させるボタン制御部と、前記押下信号を受け取ると、押下信号を受け取った時に前記第１点部〜前記第Ｎ点部が表現していた数字を暗証番号の１桁として記憶するプロセッサとを有することを特徴とする。
【００２７】
本発明の第６の点字数字入力装置は、点字の数字を表現するために凹凸する第１点部〜第Ｎ点部と、押下されると押下信号を発行するボタン本体部と、前記第１点部〜前記第Ｎ点部を数字のランダムの順序に表現するように凹凸させるボタン制御部と、次に入力すべき点字数字の桁の部分が点滅する入力桁確認画面とを有することを特徴とする。
【００２８】
本発明の第６の暗証番号入力装置は、点字の数字を表現するために凹凸する第１点部〜第Ｎ点部と、押下されると押下信号を発行するボタン本体部と、前記第１点部〜前記第Ｎ点部を数字のランダムの順序に表現するように凹凸させるボタン制御部と、前記押下信号を受け取ると、押下信号を受け取った時に前記第１点部〜前記第Ｎ点部が表現していた数字を暗証番号の１桁として記憶するプロセッサと、次に入力すべき暗証番号の桁の部分が点滅する入力桁確認画面とを有することを特徴とする。
【００２９】
本発明の第７の点字数字入力装置は、点字の数字を表現するために凹凸する第１点部〜第Ｎ点部と、押下されると押下信号を発行するボタン本体部と、前記第１点部〜前記第Ｎ点部を数字のランダムの順序に表現するように凹凸させるボタン制御部と、押下されると取り消し信号を発生する取り消しボタンとを有することを特徴とする。
【００３０】
本発明の第７の暗証番号入力装置は、点字の数字を表現するために凹凸する第１点部〜第Ｎ点部と、押下されると押下信号を発行するボタン本体部と、前記第１点部〜前記第Ｎ点部を数字のランダムの順序に表現するように凹凸させるボタン制御部と、押下されると取り消し信号を発生する取り消しボタンと、前記押下信号を受け取ると、押下信号を受け取った時に前記第１点部〜前記第Ｎ点部が表現していた数字を暗証番号の１桁として記憶し、前記取り消し信号を受け取ると記憶した暗証番号を消去するプロセッサとを有することを特徴とする。
【００３１】
本発明の第８の点字数字入力装置は、点字の数字を表現するために凹凸する第１点部〜第Ｎ点部と、押下されると押下信号を発行するボタン本体部と、前記第１点部〜前記第Ｎ点部を数字のランダムの順序に表現するように凹凸させるボタン制御部と、次に入力すべき点字数字の桁の部分が点滅する入力桁確認画面と、押下されると取り消し信号を発生する取り消しボタンとを有することを特徴とする。
【００３２】
本発明の第８の暗証番号入力装置は、点字の数字を表現するために凹凸する第１点部〜第Ｎ点部と、押下されると押下信号を発行するボタン本体部と、押下されると取り消し信号を発生する取り消しボタンと、前記第１点部〜前記第Ｎ点部を数字のランダムの順序に表現するように凹凸させるボタン制御部と、前記押下信号を受け取ると、押下信号を受け取った時に前記第１点部〜前記第Ｎ点部が表現していた数字を暗証番号の１桁として記憶し、前記取り消し信号を受け取ると記憶した暗証番号を消去するプロセッサと、次に入力すべき暗証番号の桁の部分が点滅する入力桁確認画面とを有することを特徴とする。
【００３３】
本発明の第１の暗証番号入力方法は、点字の数字を表現するために凹凸する第１点部〜第Ｎ点部と、押下されると押下信号を発行するボタン本体部と、押下されると取り消し信号を発生する取り消しボタンとを利用し、前記第１点部〜前記第Ｎ点部を数字の若番の順序に表現するように凹凸させる第１の手順と、前記押下信号を受け取ると、押下信号を受け取った時に前記第１点部〜前記第Ｎ点部が表現していた数字を暗証番号の１桁として記憶する第２の手順とを含むことを特徴とする。
【００３４】
本発明の第２の暗証番号入力方法は、点字の数字を表現するために凹凸する第１点部〜第Ｎ点部と、押下されると押下信号を発行するボタン本体部と、押下されると取り消し信号を発生する取り消しボタンとを利用し、前記第１点部〜前記第Ｎ点部を数字のランダムの順序に表現するように凹凸させる第１の手順と、前記押下信号を受け取ると、押下信号を受け取った時に前記第１点部〜前記第Ｎ点部が表現していた数字を暗証番号の１桁として記憶する第２の手順とを含むことを特徴とする。
【００３５】
本発明の第１の暗証番号入力プログラムは、点字の数字を表現するために凹凸する第１点部〜第Ｎ点部と、押下されると押下信号を発行するボタン本体部と、押下されると取り消し信号を発生する取り消しボタンとを利用する、前記第１点部〜前記第Ｎ点部を数字の若番の順序に表現するように凹凸させる第１の手順と、前記押下信号を受け取ると、押下信号を受け取った時に前記第１点部〜前記第Ｎ点部が表現していた数字を暗証番号の１桁として記憶する第２の手順とをコンピュータに実行させることを特徴とする。
【００３６】
本発明の第２の暗証番号入力プログラムは、点字の数字を表現するために凹凸する第１点部〜第Ｎ点部と、押下されると押下信号を発行するボタン本体部と、押下されると取り消し信号を発生する取り消しボタンとを利用する、前記第１点部〜前記第Ｎ点部を数字のランダムの順序に表現するように凹凸させる第１の手順と、前記押下信号を受け取ると、押下信号を受け取った時に前記第１点部〜前記第Ｎ点部が表現していた数字を暗証番号の１桁として記憶する第２の手順とをコンピュータに実行させることを特徴とする。
【００３７】
【発明の実施の形態】
次に、本発明の第１の実施の形態について図面を参照して詳細に説明する。
【００３８】
図１は、本発明の第１の実施の形態を示す説明図である。
【００３９】
図２は、入力桁確認画面３０を示す説明図である。
【００４０】
図３は、点字式入力ボタン４０の構成を示す説明図である。
【００４１】
図４は、プロセッサ５０の構成を示す説明図である。
【００４２】
図５は、ボタン制御部６０の構成を示す説明図である。
【００４３】
図１を参照すると、本発明の第１の実施の形態は、ＡＴＭ等に適用され、入力案内画面１０と、取り消しボタン２０と、入力桁確認画面３０と、点字式入力ボタン４０と、ボタン制御部６０と、これらを制御するプロセッサ５０とから構成される。
【００４４】
入力案内画面１０は、利用者に暗証番号の入力案内を表示する液晶等で構成された画面である。プロセッサ５０の制御により、たとえば、「暗証番号を入力して下さい」等の文字が表示される。
【００４５】
取り消しボタン２０は、プロセッサ５０に接続されており、押下されると、押下されたことを示す取り消し信号がプロセッサ５０に対し出力される。これは、暗証番号の入力を途中で取りやめ、最初から入力するためのものである。
【００４６】
図２を参照すると、入力桁確認画面３０は、次に入力すべき暗証番号の桁の部分が点滅する。図２においては、暗証番号は、４桁であり、入力桁確認画面３０は、第１桁部分３１０、第２桁部分３２０、第３桁部分３３０、および、第４桁部分３４０を含む。また、各桁の周囲は、接触により感知できるように凸にする等の構成をとる。これは、健常者、弱視者、あるいは、光をある程度感知できる者等には、有効である。
【００４７】
図３（ａ）を参照すると、点字式入力ボタン４０は、ボタン本体部４００と、点字の点の部分である下部に磁石を備える第１点部４０ａ、第２点部４０ｂ、第３点部４０ｃ、および、第４点部４０ｄとから構成される。第１点部４０ａ、第２点部４０ｂ、第３点部４０ｃ、および、第４点部４０ｄの凹凸により、「０〜９まで」の数字に対応する点字が表現される（すなわち、黒で示した部分が凸）。この点字式入力ボタン４０により、入力したい数字に対応する点字が表示されたときに、点字式入力ボタン４０を押すことで番号の入力をすることができる。
【００４８】
図３（ｂ）を参照すると、ボタン本体部４００と基板４０３との間にはバネ４０２が設けられており、ボタン本体部４００の下部には、端子４０１が設けられている。バネ４０２は、端子４０１、基板４０３のセンサとは、電気的に絶縁されている。ボタン本体部４００が、押下されると、バネ４０２が収縮し、端子４０１が下降し、基板４０３のセンサに接触し、点字式入力ボタン４０が押下されたことを示す押下信号がボタン制御部６０を経由してプロセッサ５０の点字式入力ボタン制御部５４０に伝達される。
【００４９】
図４を参照すると、プロセッサ５０は、入力案内画面１０を制御する入力案内画面制御部５１０と、取り消しボタン２０を制御する取り消しボタン制御部５２０と、入力桁確認画面３０を制御する入力桁確認画面制御部５３０と、ボタン制御部６０を制御する点字式入力ボタン制御部５４０とから構成される。
【００５０】
図５を参照すると、ボタン制御部６０は、第１点部４０ａ、第２点部４０ｂ、第３点部４０ｃ、および、第４点部４０ｄの直下にそれぞれ設置される電磁石６０１ａ、電磁石６０１ｂ、電磁石６０１ｃ、および、電磁石６０１ｄと、電磁石６０１ａ、電磁石６０１ｂ、電磁石６０１ｃ、および、電磁石６０１ｄの電源を制御するスイッチ部６０２ａ、スイッチ部６０２ｂ、スイッチ部６０２ｃ、および、スイッチ部６０２ａと、ボタン本体部４００の端子４０１と基板４０３のセンサとの接触による押下信号をプロセッサ５０に伝達する信号制御部６０３とから構成される。
【００５１】
第１点部４０ａ、第２点部４０ｂ、第３点部４０ｃ、および、第４点部４０ｄの下部の磁石は、たとえば、Ｎ極が下向きに取り付けられており、スイッチ部６０２ｂ、スイッチ部６０２ｃ、および、スイッチ部６０２ａから電源が供給されると、それぞれ、電磁石６０１ａ、電磁石６０１ｂ、電磁石６０１ｃ、および、電磁石６０１ｄの第１点部４０ａ、第２点部４０ｂ、第３点部４０ｃ、および、第４点部４０ｄに対応する側にＮ極が発生する構成をとる。同極は、反発するので、電源が供給されると、凸になる。
【００５２】
次に、本発明の第１の実施の形態の動作について図面を参照して説明する。
【００５３】
図６は、本発明の第１の実施の形態の動作を示すフローチャートである。
【００５４】
図７は、本発明の第１の実施の形態の点字の表示の順番を示す説明図である。
【００５５】
図６を参照すると、まず、プロセッサ５０の入力案内画面制御部５１０は、ＡＴＭ等の入力案内画面１０に、「暗証番号を入力して下さい」（図１参照）のように表示（替わりに、音声で知らせる構成も可能である）させる（図６ステップＳ１）。さらに、プロセッサ５０の点字式入力ボタン制御部５４０は、暗証番号の桁を示す桁番号をＮ＝１に初期化し、入力暗証番号記を初期化する（図６ステップＳ２）。
【００５６】
次に、入力桁確認画面制御部５３０は、第Ｎ桁目の入力を利用者に知らせるために、入力桁確認画面３０のＮに対応する桁部分（Ｎ＝１、２、３、４にそれぞれ、第１桁部分３１０、第２桁部分３２０、第３桁部分３３０、および、第４桁部分３４０が対応する）の「※」文字を点滅させる（図６ステップＳ３）。
【００５７】
次に、プロセッサ５０の取り消しボタン制御部５２０は、取り消しボタン２０からの押下信号を調べ（図６ステップＳ４）、押下信号を受け取っていれば（図６ステップＳ４／ＹＥＳ）、点字式入力ボタン制御部５４０に押下信号を受け取ったことを通知し、取り消しボタンの押下信号を消去する。点字式入力ボタン制御部５４０は、取り消しボタンの押下信号の受け取りを通知されると、処理をステップＳ２に戻す（図６ステップＳ４／ＹＥＳ）。
【００５８】
押下信号を受け取っていなければ（図６ステップＳ４／ＮＯ）、次に、プロセッサ５０の点字式入力ボタン制御部５４０は、ボタン制御部６０の各スイッチ部６０２ａ〜スイッチ部６０２ｄを制御し、点字式入力ボタン４０の第１点部４０ａ、第２点部４０ｂ、第３点部４０ｃ、および、第４点部４０ｄが、図７に示すように、「０〜９まで」の数字（この数字の対応は、便宜的な例である）を順番に一定時間間隔で点字として凹凸表示する（黒が凸を示す）ように制御する（図６ステップＳ５）。本来、点字では、６個の点で、文字、数字を表現するが、数字は、上４個の点で表現できる。
【００５９】
利用者が、たとえば、暗証番号として「１２３４」を入力するときは、点字式入力ボタン４０に指を置き、第１桁目の「１」が点字表示されたときに点字式入力ボタン４０を押下する。残りの第２桁から第４桁の「２３４」の入力も上記と同様にして番号を入力し、４桁目の入力が終了した時点で暗証番号の入力は完了する。
【００６０】
利用者により点字式入力ボタン４０が押下されると（図６ステップＳ６／ＹＥＳ）、ボタン本体部４００、端子４０１が下降し、基板４０３のセンサと接触し、押下信号がボタン制御部６０を経由してプロセッサ５０に伝達される（図６ステップＳ７）。プロセッサ５０の点字式入力ボタン制御部５４０は、押下信号を受け取ると、内蔵する記憶部に押下された時に点字式入力ボタン４０が表現していた数字と対応する桁番号Ｎとを対にして入力暗証番号として記憶する（図６ステップＳ８）。
【００６１】
次に、点字式入力ボタン制御部５４０は、最終桁であるかどうか、すなわち、Ｎ＝４かどうかを調べ（図６ステップＳ９）、最終桁でなければ、すなわち、Ｎ＝４でなければ（図６ステップＳ９／ＮＯ）、桁数Ｎを１増加し、すなわち、Ｎ＝Ｎ＋１とし（図６ステップＳ１０）、処理をステップＳ３に戻す。
【００６２】
最終桁あれば、すなわち、Ｎ＝４であれば（図６ステップＳ９／ＹＥＳ）、点字式入力ボタン制御部５４０は、一定時間後に、取り消しボタン制御部５２０からの取り消しボタンの押下通知を調べ（図６ステップＳ１１）、取り消しボタンの押下信号があれば（図６ステップＳ１１／ＹＥＳ）、取り消しボタンの押下信号を消去し、処理をステップＳ２に戻す。また、取り消しボタンの押下信号がなければ（図６ステップＳ１１／ＮＯ）、暗証番号の入力処理を終了する。
【００６３】
以上のようにして、入力したい番号を順次に点字式入力ボタン４０の表面に点字として凹凸表現することにより、指により確認して入力できるため、第三者は入力した番号を盗み取ることができず、より安全性の高い暗証番号の入力が実現できる。
【００６４】
次に、本発明の第２の実施の形態について図面を参照して詳細に説明する。
【００６５】
図８は、本発明の第２の実施の形態の動作を示すフローチャートである。
【００６６】
図９は、本発明の第２の実施の形態の点字の表示の順番を示す説明図である。
【００６７】
図８を参照すると、まず、プロセッサ５０の入力案内画面制御部５１０は、ＡＴＭ等の入力案内画面１０に、「暗証番号を入力して下さい」（図１参照）のように表示（替わりに、音声で知らせる構成も可能である）させる（図８ステップＴ１）。さらに、プロセッサ５０の点字式入力ボタン制御部５４０は、暗証番号の桁を示す桁番号をＮ＝１に初期化し、入力暗証番号記を初期化する（図８ステップＴ２）。
【００６８】
次に、入力桁確認画面制御部５３０は、第Ｎ桁目の入力を利用者に知らせるために、入力桁確認画面３０のＮに対応する桁部分（Ｎ＝１、２、３、４にそれぞれ、第１桁部分３１０、第２桁部分３２０、第３桁部分３３０、および、第４桁部分３４０が対応する）の「※」文字を点滅させる（図８ステップＴ３）。
【００６９】
次に、プロセッサ５０の取り消しボタン制御部５２０は、取り消しボタン２０からの押下信号を調べ（図８ステップＴ４）、押下信号を受け取っていれば（図８ステップＴ４／ＹＥＳ）、点字式入力ボタン制御部５４０に押下信号を受け取ったことを通知し、取り消しボタンの押下信号を消去する。点字式入力ボタン制御部５４０は、取り消しボタンの押下信号の受け取りを通知されると、処理をステップＳ２に戻す（図８ステップＴ４／ＹＥＳ）。
【００７０】
押下信号を受け取っていなければ（図８ステップＴ４／ＮＯ）、次に、プロセッサ５０の点字式入力ボタン制御部５４０は、ボタン制御部６０の各スイッチ部６０２ａ〜スイッチ部６０２ｄを制御し、点字式入力ボタン４０の第１点部４０ａ、第２点部４０ｂ、第３点部４０ｃ、および、第４点部４０ｄが、図９に示すように、「０〜９まで」の数字（この数字の対応は、便宜的な例である）をランダムに一定時間間隔で点字として凹凸表示する（黒が凸を示す）ように制御する（図８ステップＴ５）。本来、点字では、６個の点で、文字、数字を表現するが、数字は、上４個の点で表現できる。また、点の数は、数字が表現できる任意の数でよい。たとえば、６でも、１０でもよい。
【００７１】
利用者が、たとえば、暗証番号として「１２３４」を入力するときは、点字式入力ボタン４０に指を置き、第１桁目の「１」が点字表示されたときに点字式入力ボタン４０を押下する。残りの第２桁から第４桁の「２３４」の入力も上記と同様にして番号を入力し、４桁目の入力が終了した時点で暗証番号の入力は完了する。
【００７２】
利用者により点字式入力ボタン４０が押下されると（図８ステップＴ６／ＹＥＳ）、ボタン本体部４００、端子４０１が下降し、基板４０３のセンサと接触し、押下信号がボタン制御部６０を経由してプロセッサ５０に伝達される（図８ステップＴ７）。プロセッサ５０の点字式入力ボタン制御部５４０は、押下信号を受け取ると、内蔵する記憶部に押下された時に点字式入力ボタン４０が表現していた数字と対応する桁番号Ｎとを対にして入力暗証番号として記憶する（図８ステップＴ８）。
【００７３】
次に、点字式入力ボタン制御部５４０は、最終桁であるかどうか、すなわち、Ｎ＝４かどうかを調べ（図８ステップＴ９）、最終桁でなければ、すなわち、Ｎ＝４でなければ（図８ステップＴ９／ＮＯ）、桁数Ｎを１増加し、すなわち、Ｎ＝Ｎ＋１とし（図８ステップＴ１０）、処理をステップＳ３に戻す。
【００７４】
最終桁あれば、すなわち、Ｎ＝４であれば（図８ステップＴ９／ＹＥＳ）、点字式入力ボタン制御部５４０は、一定時間後に、取り消しボタン制御部５２０からの取り消しボタンの押下通知を調べ（図８ステップＴ１１）、取り消しボタンの押下信号があれば（図８ステップＴ１１／ＹＥＳ）、取り消しボタンの押下信号を消去し、処理をステップＳ２に戻す。また、取り消しボタンの押下信号がなければ（図８ステップＴ１１／ＮＯ）、暗証番号の入力処理を終了する。
【００７５】
以上のように、点字式暗証番号入力装置は、入力したい番号をランダムに入力ボタンの表面に点字として凹凸表示することにより、指にて確認して入力できるため、第三者は入力した番号を盗み取ることができず、より安全性の高い暗証番号の入力が可能となる。
【００７６】
次に、本発明の第３の実施の形態について図面を参照して詳細に説明する。
【００７７】
本発明の第３の実施の形態は、点字の数字を表現するために凹凸する第１点部４０ａ〜第４点部４０ｄと、押下されると押下信号を発行するボタン本体部４００と、押下されると取り消し信号を発生する取り消しボタン２０とを利用する、第１点部４０ａ〜第４点部４０ｄを数字の若番の順序（図６ステップＳ５）、またはランダムの順序（図８ステップＴ５）に表現するように凹凸させる第１の手順と、前記押下信号を受け取ると、押下信号を受け取った時に第１点部４０ａ〜第４点部４０ｄが表現していた数字を暗証番号の１桁として記憶する（図６ステップＳ８、図８ステップＴ８）第２の手順とを含む方法である。
【００７８】
次に、本発明の第４の実施の形態について図面を参照して詳細に説明する。
【００７９】
本発明の第４の実施の形態は、点字の数字を表現するために凹凸する第１点部４０ａ〜第４点部４０ｄと、押下されると押下信号を発行するボタン本体部４００と、押下されると取り消し信号を発生する取り消しボタン２０とを利用し、第１点部４０ａ〜第４点部４０ｄを数字の若番の順序（図６ステップＳ５）、またはランダムの順序（図８ステップＴ５）に表現するように凹凸させる第１の手順と、前記押下信号を受け取ると、押下信号を受け取った時に第１点部４０ａ〜第４点部４０ｄが表現していた数字を暗証番号の１桁として記憶する（図６ステップＳ８、図８ステップＴ８）第２の手順とをコンピュータ（たとえば、プロセッサ５０）に実行させるプログラムである。
【００８０】
【発明の効果】
本発明の第１の効果は、暗証番号の入力時に安全性が向上することである。
【００８１】
その理由は、数字が凹凸表示される入力ボタンを、指で番号を確認しながら入力するため、第三者から観察できないからである。
【００８２】
第２の効果は、視力の弱い利用者に対する使い勝手が向上することである。
【００８３】
その理由は、点字式の数字が凹凸表示される入力ボタンを、指で番号を確認しながら入力する構成をとるからである。
【図面の簡単な説明】
【図１】本発明の第１の実施の形態を示す説明図である。
【図２】入力桁確認画面を示す説明図である。
【図３】点字式入力ボタンの構成を示す説明図である。
【図４】プロセッサの構成を示す説明図である。
【図５】ボタン制御部の構成を示す説明図である。
【図６】本発明の第１の実施の形態の動作を示すフローチャートである。
【図７】本発明の第１の実施の形態の点字の表示の順番を示す説明図である。
【図８】本発明の第２の実施の形態の動作を示すフローチャートである。
【図９】本発明の第２の実施の形態の点字の表示の順番を示す説明図である。
【図１０】従来の暗証番号入力装置を示す説明図である。
【図１１】１列式の従来の暗証番号入力装置を示す説明図である。
【図１２】従来の技術の暗証番号入力装置を示す説明図である。
【図１３】従来の技術の１列式の暗証番号入力装置を示す説明図である。
【図１４】従来の技術を示す説明図である。
【符号の説明】
１０    入力案内画面
２０    取り消しボタン
３０    入力桁確認画面
４０    点字式入力ボタン
５０    プロセッサ
６０    ボタン制御部
４０ａ    第１点部
４０ｂ    第２点部
４０ｃ    第３点部
４０ｄ    第４点部
３１０    第１桁部分
３２０    第２桁部分
３３０    第３桁部分
３４０    第４桁部分
４００    ボタン本体部
４０１    端子
４０２    バネ
４０３    基板
５１０    入力案内画面制御部
５２０    取り消しボタン制御部
５３０    入力桁確認画面制御部
５４０    点字式入力ボタン制御部
６０１ａ    電磁石
６０１ｂ    電磁石
６０１ｃ    電磁石
６０１ｄ    電磁石
６０２ａ    スイッチ部
６０２ｂ    スイッチ部
６０２ｃ    スイッチ部
６０２ｄ    スイッチ部
６０３    信号制御部
【図１】
0003741008.tif 000002
【図２】
0003741008.tif 000003
【図３】
0003741008.tif 000004
【図４】
0003741008.tif 000005
【図５】
0003741008.tif 000006
【図６】
0003741008.tif 000007
【図７】
0003741008.tif 000008
【図８】
0003741008.tif 000009
【図９】
0003741008.tif 000010
【図１０】
0003741008.tif 000011
【図１１】
0003741008.tif 000012
【図１２】
0003741008.tif 000013
【図１３】
0003741008.tif 000014
【図１４】
0003741008.tif 000015